(57)【特許請求の範囲】
【請求項１】
カメラヘッドとビューファインダとカメラコントロールユニットと制御装置と映像モニタとを有するテレビジョンカメラにおいて、
前記カメラヘッド内にメニュー制御部を有し、前記カメラヘッドに接続した前記制御装置と前記ビューファインダを有し、前記前記カメラコントロールユニットに接続した前記制御装置と前記映像モニタとを有し、
前記カメラヘッドと前記ビューファインダと前記カメラコントロールユニットと前記制御装置とで運用している場合、前記メニュー制御部または前記カメラヘッドに接続した前記制御装置での操作では前記ビューファインダに前記ビューファインダの映像調整メニューが出力され、前記カメラコントロールユニットに接続した前記制御装置での操作では前記カメラヘッドの映像調整メニューを前記カメラコントロールユニットに送り、前記映像モニタに前記カメラヘッドの映像調整メニューと前記カメラコントロールユニットの映像調整メニューとの一方が出力され、
前記カメラヘッドと前記カメラヘッドに接続した前記制御装置と前記ビューファインダとで運用している場合、前記メニュー制御部または前記カメラヘッドに接続した前記制御装置での操作では前記ビューファインダに前記ビューファインダの映像調整メニューが出力される
ことを特徴とするテレビジョンカメラの調整方法。
【発明の詳細な説明】
【技術分野】
【０００１】
本発明は、テレビジョンカメラの調整の改良に関するものである。
【背景技術】
【０００２】
カメラヘッドとビューファインダとカメラコントロールユニット（以下ＣＣＵと略す）と、カメラヘッドとＣＣＵとを制御する制御装置とを有し、メニューで調整するテレビジョンカメラの従来の技術は、カメラマンがカメラヘッド単体で動作させて調整する時は、ビューファインダに調整メニューを出力させ、カメラヘッドのメニュー制御部またはカメラヘッドに直接接続したカメラヘッドとＣＣＵとを制御する制御装置によりカメラヘッドの全機能を調整していた。
図４に従来技術と本発明に共通の調整メニューの例を示す。図４の（ａ）は映像調整メニューの例であり、図４の（ｂ）はビューファインダ映像調整メニューの例であり、詳細は発明を実施するための最良の形態で説明する。
【０００３】
また、ＣＣＵ接続時にビデオエンジニアがＣＣＵを介して制御装置からＣＣＵ出力に用いるカメラヘッドの映像とＣＣＵの映像処理とを調整する時は、ＣＣＵの映像モニタ出力に接続した映像モニタに調整メニューを出力させて、制御装置によりカメラヘッドの映像を調整していた。ＣＣＵを介して制御装置により調整する時は、ビデオエンジニアの調整を優先する為に、カメラヘッドのメニュー制御部やカメラヘッドに直接接続したカメラヘッドとＣＣＵとを制御する制御装置による調整は固定にして、ビューファインダに調整メニューを出力しなかった。
【０００４】
カメラマンが、ＣＣＵ接続時にカメラヘッドのメニュー制御部やカメラヘッドに直接接続した制御装置により調整メニューを用いて調整する時は、ＣＣＵを介した制御装置の制御を解除し、ＣＣＵ映像モニタに調整メニューを出力しないで、ビューファインダに図４（ａ）映像調整メニューと４（ｂ）ビューファインダ映像調整メニューを出力して、カメラヘッドのメニュー制御部やカメラヘッドに直接接続した制御装置により調整していた。
【０００５】
つまり、ビデオエンジニアの映像調整を優先する為に、カメラマンによるカメラヘッドの調整とビデオエンジニアによる映像調整は独立に実行できなかった。よって、調整メニューの組み合わせとしては、カメラヘッドの入出力の調整メニューとカメラヘッドの映像調整メニューとビューファインダ映像調整メニューとからなるビューファインダに出力するカメラヘッド単体調整メニューと、ＣＣＵの入出力の調整メニューとカメラヘッドの映像調整メニューとからなるＣＣＵ映像モニタに出力するＣＣＵの調整メニューしかなかった。
【０００６】
ユーザーによって、調整メニューまたは調整メニューの初期値が異なるテレビジョンカメラでは、ユーザー別にテレビジョンカメラのＣＰＵソフトとＣＣＵのＣＰＵソフトを書き換えて対応していた。
【０００７】
カメラヘッドと、ＣＣＵとの各補正回路の特性値をそれぞれ調整するとともに、各補正回路の特性値を相関連動して調整する公知例として、下記特許文献１がある。
【特許文献１】特開平１０−３２７３４５号公報
【発明の開示】
【発明が解決しようとする課題】
【０００８】
本発明の目的は、従来の技術では、困難だった、カメラマンによる画角、焦点、絞りを合わせる為のビューファインダ映像調整と、ビデオエンジニアによるＣＣＵ出力映像調整との独立実行による調整の容易化と短時間化とを目的とする。
【０００９】
また、テレビジョンカメラのＣＰＵソフト管理を容易にするため、ユーザー別ＣＰＵソフトを共通ソフトに統合する。
【課題を解決するための手段】
【００１０】
本発明は、上記の目的を達成するために、カメラヘッドとビューファインダとＣＣＵと制御装置とを有するテレビジョンカメラにおいて、テレビジョンカメラの調整を行う形態に応じ、ビューファインダに対する、ビューファインダ映像調整メニューの出力と、ＣＣＵ映像モニタに対する、カメラヘッドの映像調整とカメラコントロールユニットの調整に関する調整メニューの出力を制御するものである。
【００１１】
また、テレビジョンカメラの調整を、カメラヘッドのメニュー制御部、カメラヘッドに接続した制御装置、カメラコントロールユニットを介した制御装置のいずれで行うかを判別し、判別結果に応じ、対応する調整メニューを出力するものである。
【００１２】
さらに、テレビジョンカメラの調整を行うユーザーＩＤを判別し、該判別結果に応じ、対応する調整メニュー、該調整メニューの初期値を出力するものである。
【発明の効果】
【００１３】
本発明を用いると、テレビジョンカメラのカメラヘッドでのカメラマンが画角、焦点、絞りを合わせ易くする為のビューファインダ映像調整を行う作業と、ＣＣＵ側でのビデオエンジニアがＣＣＵ出力に用いるカメラヘッドの映像調整とＣＣＵの映像処理調整とを行う作業に応じて、対応する調整メニューまたは調整メニューが切り替えて出力されるので、調整が容易で短時間となる。
【００１４】
また、調整メニューまたは調整メニューの初期値をユーザーＩＤ別に切り替える結果、テレビジョンカメラのユーザー別ＣＰＵソフトは共通ソフトに統合となり、テレビジョンカメラのＣＰＵソフト管理が共通ソフトのみになり、容易になる。特にバグ管理とメンテナンスとが容易になる。
【発明を実施するための最良の形態】
【００１５】
以下本発明の実施例について説明する。
図２は、一実施例を実行するテレビジョンカメラの簡単なシステム系統図である。撮影スタジオ１１で、カメラマンがビューファインダ４により画角、焦点、絞りを合わせ、カメラヘッド１で撮影した映像信号は、ケーブル１０を通り、副調整室１２にあるカメラコントロールユニット（ＣＣＵ）６を介し、映像モニタ９に出力される。また、ビデオエンジニアが制御装置８によるＣＣＵ出力に用いるカメラヘッドの映像調整とＣＣＵの映像処理調整とを映像モニタ９で確認する。
【００１６】
図１は、本発明の一実施例を実行するテレビジョンカメラのブロック図である。カメラヘッド１内のＣＰＵ２により、制御装置５，８の判別及びユーザーＩＤの識別をＣＣＵ６のＣＰＵ７との送受信データで行う。カメラヘッドメニュー制御部３と制御装置５からのリモートメニューコマンドとＣＣＵ６のＣＰＵ７を介して制御装置８からのリモートメニューコマンドとを検出し、ビューファインダ４、又はＣＣＵ６のＣＰＵ７を介して、映像モニタ９に各々のメニューを出力させる。
【００１７】
図３は、本発明の一実施例のビューファインダ映像調整とＣＣＵ側での映像処理調整とを独立に実行する場合のカメラヘッド１内のＣＰＵ２のフローチャートであり、図４は、従来技術と本発明に共通の調整メニューの一例である。図３のフローチャートでは、楕円は開始と終了、長方形は処理、菱形は判断のステップである。開始ステップ２１の次に、カメラヘッドメニュー制御部操作検出のステップ２５でカメラヘッドメニュー制御部３が操作された（ＹＥＳ）なら、図４（ｂ）の様なビューファインダ映像調整メニューをビューファインダに出力する。カメラヘッドメニュー制御部３が操作されていない（ＮＯ）なら、リモートメニューコマンド検出ステップ２２で、リモートメニューコマンド有り（ＹＥＳ）なら制御装置の判別及びユーザーＩＤの識別の判断のステップ２３に進む。リモートメニューコマンド無し（ＮＯ）なら処理のステップ２７でＣＣＵ映像モニタ出力にもビューファインダにもメニューを出力しない。制御装置の判別及びユーザーＩＤの識別ステップ２３で、制御装置がＣＣＵ側の制御装置８なら処理のステップ２４でＣＣＵ映像モニタ出力に映像調整メニューを出力する。具体的には、図４（ａ）の様な映像調整メニューを出力する様に、図１のＣＣＵ９のＣＰＵ１２に送信する。制御装置がヘッド側の制御装置５なら処理のステップ２６でビューファインダに図４（ｂ）の様なビューファインダ映像調整メニューを出力する。そして、調整メニューまたは調整メニューの初期値を、ユーザーＩＤ別に切り替える。以上の処理で終了のステップ２８となる。
【００１８】
図４（ａ）の映像調整メニューの１例を説明する。図４（ａ）上から映像調整メニューの１部である事を示す題名「ＦＵＮＣＴＩＯＮ  １」、暗部を強調する「ＣＯＮＴＲＡＳＴ」、感度を切り替える「ＧＡＩＮ  ＬＯＷ」「ＭＩＤ」「ＨＩＧＨ」、色調を整える「ＭＡＳＫＩＮＧ」「ＧＡＭＭＡ」の調整メニューである。
【００１９】
図４（ｂ）のビューファインダ映像調整メニューの１例を説明する。図４（ｂ）上からビューファインダ映像調整メニューの題名「ＶＦ  ＤＩＳＰＬＡＹ」、画角を合わせる為の「ＳＡＦＥＴＹ  ＭＡＲＫ」と「ＣＥＮＴＥＲ  ＭＡＲＫ」、レンズの焦点、絞りを確認するための「ＥＸＴＥＮＤＥＲ」「ＺＯＯＭ」「ＦＯＣＵＳ」「ＩＲＩＳ」、色温度を確認するための「ＦＩＬＴＥＲ」「ＷＨＴＢＡＬ＆ＧＡＩＮ」、レンズの焦点を合わせやすくするための「ＶＦ  ＤＴＬ」の調整メニューである。
【００２０】
テレビジョンカメラのカメラヘッドでのカメラマンが画角、焦点、絞りを合わせ易くする為の調整を行う作業と、ＣＣＵ側でのビデオエンジニアが映像を調整する作業に応じて、対応する調整メニューが切り替えて出力されるので、それぞれの作業が独立に実行でき、調整が容易で短時間となる
ところで、新規ユーザーからの受注時に、テレビジョンカメラの標準ＣＰＵソフトにユーザー別調整メニューまたは調整メニューの初期値を追加し、工場出荷時やメンテナンス時にユーザーには公開しない調整モードでユーザー設定をおこない、調整メニューまたは調整メニューの初期値をユーザーＩＤ別に切り替える。
【００２１】
その結果、テレビジョンカメラのユーザー別ＣＰＵソフトは不要となり、テレビジョンカメラのＣＰＵソフト管理が容易になる。特にバグ管理とメンテナンスとが容易になる。
収録時等、調整を固定したい場合は、従来どおり、カメラヘッドのメニュー制御部やカメラヘッドに直接接続した制御装置からの調整を固定にし、ビューファインダに調整メニューを出力しない。
【００２２】
カメラマンが、カメラヘッドのメニュー制御部やカメラヘッドに直接接続した制御装置から調整メニューを用いて調整したい場合は従来どおり、ＣＣＵを介した制御装置の制御を解除し、ＣＣＵ映像モニタ出力に調整メニューを出力しないで、ビューファインダにカメラヘッドの入出力の調整メニューとカメラヘッドの映像調整メニューとビューファインダ映像調整メニューとからなるカメラヘッド単体調整メニューを出力して、カメラヘッドのメニュー制御部やカメラヘッドに直接接続した制御装置により調整する。
【図面の簡単な説明】
【００２３】
【図１】本発明の一実施例を実行するテレビジョンカメラのブロック図
【図２】本発明の一実施例を実行するテレビジョンカメラのシステム系統図
【図３】本発明の一実施例を示すＣＰＵのフローチャート
【図４】従来技術と本発明に共通の調整メニューの一例
【符号の説明】
【００２４】
１：カメラヘッド  ２，７：ＣＰＵ  ３：カメラヘッドメニュー制御部
４：ビューファインダ  ５、８：制御装置  
６：カメラコントロールユニット（ＣＣＵ）  ９：映像モニタ    
１０：ケーブル  １１：撮影スタジオ  １２：副調整室  
２１：開始  ２２：リモートメニューコマンド検出    
２３：制御装置の判別及びユーザーＩＤの識別
２４：ＣＣＵ映像モニタ出力に映像調整メニューを出力  
２５：ビューファインダにビューファインダ映像調整メニューを出力
２６：カメラヘッドメニュー制御部操作検出            
２７：ＣＣＵにもビューファインダにもメニューを出力しない
【図１】
0004654098.tif 000002
【図２】
0004654098.tif 000003
【図３】
0004654098.tif 000004
【図４】
0004654098.tif 000005